(57)【要約】本発明は、スポーツ器具または楽器の一部を形成するための平面的な部材に関する。当該部材は、プレート形状またはフィルム状または箔状のベースボディ（２）を有している。そのベースボディ（２）は糸状またはバンド状の材料（３）によって次のように、すなわち糸状またはバンド状の材料（３）が部分的に、ベースボディ（２）の対向する平坦側に接して延びるように、貫通されている。このようにしてベースボディ（２）が任意の箇所において材料（３）によって補強される。【選択図】図１
2015516188.tif 000002
【特許請求の範囲】
【請求項１】
スポーツ器具または楽器の部分を形成するための平面的な部材であって、
その部材がプレート形状のベースボディ（２）を有し、前記ベースボディが少なくとも部分的に木材から形成されており、
そのプレート形状のベースボディ（２）が、糸状またはバンド状の材料（３）によって次のように、すなわち、糸状またはバンド状の材料（３）が部分的に、ベースボディ（２）の対向する平坦側（４，５）に接して延びるように、貫通されている
平面的な部材。
【請求項２】
前記ベースボディ（２）が、木材合板であることを特徴とする請求項１に記載の平面的な部材。
【請求項３】
前記糸状またはバンド状の材料（３）が、前記プレート形状のベースボディ（２）と縫い合わされていることを特徴とする請求項１に記載の平面的な部材。
【請求項４】
スポーツ器具または楽器の部分を形成するための平面的な部材であって、
その部材が、フィルム状または箔状のベースボディを有しており、
そのベースボディが糸状またはバンド状の材料（３）によって次のように、すなわち糸状またはバンド状の材料（３）が部分的にベースボディ（２）の対向する側（４、５）に接して延びるように、貫通されている
平面的な部材。
【請求項５】
前記ベースボディが、接着フィルムまたは接着箔によって形成されている、請求項４に記載の平面的な部材。
【請求項６】
前記糸状またはバンド状の材料（３）が、フィルム状または箔状のベースボディと縫い合わされていることを特徴とする請求項４または、請求項５に記載の平面的な部材。
【請求項７】
前記糸状またはバンド状の材料（３）が、人造繊維から、たとえばカーボン、アラミドあるいはグラスファイバーからなることを特徴とする請求項１から６のいずれか１項に記載の平面的な部材。
【請求項８】
少なくとも部分的に、請求項１から７のいずれか１項に記載の平面的な部材によって形成されている、スポーツ器具。
【請求項９】
スポーツ器具が、卓球ラケットであることを特徴とする請求項８に記載のスポーツ器具。
【請求項１０】
スポーツ器具が、スキーであることを特徴とする請求項８に記載のスポーツ器具。
【請求項１１】
少なくとも部分的に、請求項１から６のいずれか１項に記載の平面的な部材によって形成されている、楽器。
【請求項１２】
前記楽器が共鳴体を有し、その共鳴体が少なくとも部分的に、請求項１から６のいずれか１項に記載の平面的な部材によって形成されていることを特徴とする請求項１１に記載の楽器。
【請求項１３】
楽器がギターであることを特徴とする請求項１２に記載の楽器。
【請求項１４】
請求項８から１０のいずれか１項に記載のスポーツ器具、または請求項１１から１３のいずれか１項に記載の楽器であって、
請求項４または５または６に記載の特徴を有する平面的な部材が、
さらに２つの木材合板を有し、
その平面的な部材が２つの木材合板の間に、特に接着されて、配置されている
スポーツ器具または楽器。
【発明の詳細な説明】
【技術分野】
【０００１】
本発明は、スポーツ器具または楽器の一部を形成するための平面的な部材に関するものであって、その部材は、プレート形状の、あるいはフィルム状または拍状のベースボディを有している。
本発明は、さらに、少なくとも部分的にこの種の平面的な部材によって形成されているスポーツ器具、または、少なくとも部分的にこの種の平面的な部材によって形成されている楽器に関する。
【背景技術】
【０００２】
特許文献１からは、卓球ラケットを形成するために使用される、木材合板の形式のこの種の平面的な部材が知られている。その木材は、加熱上昇した温度のもとで処理することによって、特に硬質かつ軽量の構造が可能になるように、変化される。
【０００３】
もちろん、熱的な処理は部材全体に一様に作用するので、この処理によっては部材の機械的特性に関して局部的な差異は得られない。
【先行技術文献】
【特許文献】
【０００４】
【特許文献１】独国公開公報DE102009042695A1
【発明の概要】
【発明が解決しようとする課題】
【０００５】
本発明の課題は、然るべく改良された平面的な部材を提供することである。特にその平面的な部材は、製造技術的に効果的に部分領域内に補強を有するように、形成される。さらに、そのようなスポーツ器具またはそのような楽器を提供しようとしている。
【課題を解決するための手段】
【０００６】
この課題は、本発明によれば、独立請求項内で挙げられた主題によって解決される。本発明の特別な実施形態が、従属請求項に記載されている。
【０００７】
本発明によれば、スポーツ器具または楽器の部分を形成するために平面的な部材が設けられており、その部材はプレート形状のベースボディを有し、そのベースボディが少なくとも部分的に木材から形成されている。ここで、プレート形状のベースボディは、糸状またはバンド状の材料によって次のように、糸状またはバンド状の材料が部分的に、ベースボディの対向する平坦側に接して延びるように、貫通されている。
【０００８】
糸状またはバンド状の材料によって、平面的な部材の機械的特性が所望に局部的に変化する。たとえば、このようにして平面的な部材の局部的な補強が得られる。特にこのようにして、適切に増大された抗張強度を有する部材の部分領域が形成される。
ここで、ベースボディがその全体にわたって均一に糸状またはバンド状の材料によって貫通されている必要はない。むしろ、ベースボディの部分領域のみが然るべく形成されるので、特に材料を節約するやり方で、平面的な部材の所望にローカルに異なる機械的特性が実現される。
【０００９】
スポーツ器具においては、機械的特性が所望に局部的に異なることが、しばしば望まれる。たとえば、卓球ラケットの場合においては、−ここではラケット木材の形式の−平面的な部材が、いわゆる「命中ゾーン」内でのみ、然るべき補強を有すると、効果的である。
【００１０】
同様なことが、楽器に関して、特に平面的な部材が共鳴体を形成する場合に、当てはまる。然るべき補強によって、振動特性が所望に修正される。
【００１１】
平面的な部材は、好ましくは木材合板である。
【００１２】
好ましくは、糸状またはバンド状の材料は、プレート形状のベースボディと縫い合わされる。それによって部材は、特に簡単に形成される。その場合に部材は、ベースボディと糸状またはバンド状の材料のみから形成することができる。従って接着剤、樹脂などは、不要である。したがって、上述した２つの部分の結合後は、乾燥時間も必要としない。
【００１３】
好ましくは、糸状またはバンド状の材料は、合成繊維から、たとえばカーボン、アラミドまたはグラスファイバーからなる。これらの繊維は、補強した箇所を得るために特に適している。その場合に、これらの繊維は比較的わずかな重量を有するので、平面的な部材は、特に軽量に形成される。繊維は、導電性の繊維であっても良い。
【００１４】
代替的に、基材は、フィルム状または箔状のベースボディである。特にその場合に、接着フィルムまたは接着箔であることができる。
【００１５】
本発明の他の観点によれば、少なくとも部分的に本発明に基づく平面的な部材によって形成されている、スポーツ器具が設けられる。
【００１６】
特にそれは、卓球ラケットまたはスキーとすることができる。
【００１７】
本発明のさらに他の観点によれば、少なくとも部分的に本発明に基づく平面的な部材によって形成されている、楽器が設けられる。
【００１８】
その場合に、楽器は、好ましくは共鳴体を有しており、その共鳴体が少なくとも部分的に平面的な部材によって形成されている。特に楽器は、ギターとすることができる。
【００１９】
好ましい形態によれば、スポーツ器具において、ないしは楽器において、平面的な部材は、フィルム状または箔状のベースボディおよびさらに２つの木材合板を有しており、その場合に平面的な部材が２つの木材合板の間に配置され、特に接着して配置されている。
【００２０】
以下、図面を参照した実施形態により、本発明を詳細に説明する。
【図面の簡単な説明】
【００２１】
【図１】本発明に基づく平面的な部材の実施の形態を簡単に示す斜視図である。
【図２】変形例を示す同様な斜視図である。
【図３】部材の横断面図である。
【発明を実施するための形態】
【００２２】
図１は、本発明に基づく平面的な部材の実施の形態を簡単な斜視図として示している。部材は、図示の例においては、卓球ラケットの形式のスポーツ器具を形成するために用いられる。しかし部材は、同様にして、他のスポーツ器具を形成するため、たとえばスキーを製造するために、形成することもできる。
【００２３】
部材は、プレート形状のベースボディ２を有しており、そのベースボディは少なくとも部分的に木材から形成されている。ベースボディ２は、たとえば木材合板、たとえばブナの合板とすることができる。
【００２４】
図３には、ベースボディ２の横断面が示されている。ベースボディ２がプレート形状であることに基づいて、ベースボディは２つの対向する平坦側４、５を有している。ベースボディ２は、特に、平坦側４、５が互いに対して平面平行に方向付けされるように、形成することができる。
【００２５】
プレート形状のベースボディ２は、糸状またはバンド状の材料３によって、糸状またはバンド状の材料３が部分的にベースボディ２の対向する平坦側４、５に接して延びるように、貫通されている。
【００２６】
平面的な部材は、ベースボディ２と糸状またはバンド状の材料３から形成することができ、したがってこれら２つの部分のみからなることができる。したがって部材を製造ないし形成するために、特に接着剤などは不要である。
【００２７】
特に、糸状またはバンド状の材料３は、プレート形状のベースボディ２と縫い合わせることができる。例示する場合がそうであるように、糸状またはバンド状の材料３は、プレート形状のベースボディ２と縫い合わせることのみによって結合することができる。
【００２８】
その場合に、縫う際に突き刺しを配置することによって、所望の方向依存性を有する補強がもたらされる。
【００２９】
形成するために、ミシン、たとえばＣＮＣ制御されるミシン（ＣＮＣ：computerized numerical control;コンピュータ化数値制御）を使用することができる。
【００３０】
糸状またはバンド状の材料３は、特にカーボンまたは炭素、アラミドまたはグラスファイバーであることができ、従って特に、たとえばカーボン糸、アラミド糸またはグラスファイバー糸の形式の、上述した材料からなる繊維である。たとえば、炭素繊維ロービング、アラミド繊維ロービングまたはグラフファイバーロービングであることができる。
【００３１】
その場合にベースボディ２は、任意の部分領域内で材料３と縫い合わせることができるので、ベースボディ２の補強は、任意に形成することができる。たとえば、図示の例がそうであるように、平面的な部材は卓球ラケットのラケット木材を形成するために用いることができ、その場合にいわゆる「命中ゾーン」のために、材料３が様々な直径の円形の構造においてベースボディ２と結合され、ないしは縫い合わされている。
【００３２】
図２に例で示すように、材料３によるベースボディ２の補強を設けることもでき、その補強は、ベースボディ２の部分領域、ここではグリップ部分、のみにわたって延びている。
【００３３】
したがって補強は、任意の箇所に形成することができる。それに対して、カーボン織物はすべての箇所において統一的な強度を有している。
【００３４】
このような平面的な部材は、楽器を形成するため、特に楽器の共鳴ボディを形成するためにも用いることができる。楽器は、たとえばギターまたは他の弦楽器であることができる。したがってたとえば、ギターの場合には、共鳴底の種々の箇所をカーボンまたは他の材料によって補強することができる。
【００３５】
本発明の他の利用可能性は、モデル建造の領域内にもある。ここでは、たとえばモデル飛行機の翼または船舶モデルの所定の箇所を然るべく補強することができる。
【００３６】
他の実施形態によれば、ベースボディはフィルム状または箔状のベースボディ、特に接着フィルムまたは接着箔である。この場合において、縫合は容易である。その他において、上述した説明は、この他の実施形態に関しても有効である。
【００３７】
さらに、好ましくは、このようなフィルム状または箔状のベースボディと２つの木材合板を有する配置を設けることができ、その場合にフィルム状または箔状のベースボディの各側にそれぞれ２つの木材合板の１つが配置されている。したがって、第１の木材合板、フィルム状または箔状のベースボディおよび第２の木材合板から、特にこの順序で構築された、層配置が得られる。
【００３８】
その場合に、特に、木材合板とベースボディの間に接着結合を設けることができる。好ましくはそのために、２つの木材合板の間にフィルム状または箔状のベースボディを挿入して、この配置を熱作用のもとでプレスすることができる。ベースボディとして接着フィルムを使用する場合には、このようにして効果的に、第１の木材合板、ベースボディ、第２の木材合板の３つの層部分の特に適切な接着結合が得られる。その場合に、熱を作用させるために、たとえば１００℃を越える、好ましくは１１０℃を越える、たとえば約１４０℃の温度を設定することができる。このようにして、接着フィルムが溶融し、それによって２つの木材合板が互いに堅固に結合される。その場合に、糸状またはバンド状の材料ないし繊維が縫い込まれる箇所において、補強が得られる。
【図１】
2015516188.tif 000003
【図２】
2015516188.tif 000004
【図３】
2015516188.tif 000005
【国際調査報告】
2015516188.tif 000006
2015516188.tif 000007
2015516188.tif 000008
2015516188.tif 000009
2015516188.tif 000010
2015516188.tif 000011